(57)【特許請求の範囲】
【請求項１】
戸体の室内側に取り付けられ親扉の戸当たりをなす金属製の戸当たり部材と、
前記戸体の面内方向に沿い見込み方向に間隔を開けて配置される金属室外壁部と金属室内壁部とを備えた金属製の金属骨材と、
前記金属室内壁部の室内側に配置される室内配置部を有する合成樹脂製の樹脂骨材と、
を有し、
前記金属骨材は、前記金属室内壁部から室内側に延出され、前記金属室内壁部の見付け幅方向において前記戸当たり部材と反対側に位置している室内延出部を有し、
前記戸当たり部材は、前記室内配置部を介して前記室内延出部に固定されていることを特徴とする子扉。
【請求項２】
請求項１に記載の子扉であって、
前記室内配置部は、中空部を有することを特徴とする子扉。
【請求項３】
請求項１または請求項２に記載の子扉であって、
前記樹脂骨材は、前記室内配置部と繋がって前記金属骨材の室外側に配置される樹脂室外壁部を有することを特徴とする子扉。
【請求項４】
請求項１乃至請求項３のいずれかに記載の子扉と、
前記親扉と、を有することを特徴とする建具。
【発明の詳細な説明】
【技術分野】
【０００１】
本発明は、親扉とともに設けられる子扉及び子扉を備えた建具に関する。
【背景技術】
【０００２】
子扉は、親扉を閉じたときに親扉が当たる戸当たりをなす部材を有している。戸当たりを有する扉としては、例えば、断面コ字状の金属芯材の外面部に硬質合成樹脂層を形成した枠材と、枠材の表面と裏面とに設けられた金属製の外面板と、を有し、戸当たりをなす当たり部材がビスのような固着具により金属芯材に取り付けられて断熱構造をなすドアが知られている（例えば、特許文献１参照）。戸当たりは、ドアを閉じる際に接触する部位なので、高い剛性と強度とが必要である。
【先行技術文献】
【特許文献】
【０００３】
【特許文献１】特開昭５６−７３７８８号公報
【発明の概要】
【発明が解決しようとする課題】
【０００４】
上記のようなドアのコ字状の金属芯材は、室内側と室外側とにそれぞれドアの面内方向に沿う壁部を有しており、室内側の壁部と室外側の壁部との戸先側の端部が繋がっている。このため、室外側の外面板の近傍と室内側の外面板の近傍とにそれぞれ、広い面積を有する金属部分が配置されている。室外側の壁部は外部から暖められ又は冷やされ易いため金属芯材の温度が変化しやすく、また、金属芯材の温度変化は室内側の壁部を介して室内に伝わりやすいので、ドアの断熱性が損なわれてしまう虞がある。このとき、剛性や強度を必要とする為に金属で形成されている当たり部材が金属芯材にビス等により固定されていると、室外側の壁部の温度が当たり部材に伝達され、より断熱性が損なわれる虞がある。
【０００５】
本発明は、かかる課題に鑑みてなされたものであり、その目的とするところは、戸当たりを備えつつも断熱性に優れた子扉及び建具を提供することにある。
【課題を解決するための手段】
【０００６】
かかる目的を達成するために本発明の子扉は、戸体の室内側に取り付けられ親扉の戸当たりをなす金属製の戸当たり部材と、前記戸体の面内方向に沿い見込み方向に間隔を開けて配置される金属室外壁部と金属室内壁部とを備えた金属製の金属骨材と、前記金属室内壁部の室内側に配置される室内配置部を有する合成樹脂製の樹脂骨材と、を有し、前記金属骨材は、前記金属室内壁部から室内側に延出され、前記金属室内壁部の見付け幅方向において前記戸当たり部材と反対側に位置している室内延出部を有し、前記戸当たり部材は、前記室内配置部を介して前記室内延出部に固定されていることを特徴とする。
【０００７】
このような子扉によれば、戸体の室内側に取り付けられている戸当たり部材は、金属製なので高い剛性を備えており、戸当たり部材は金属製の金属骨材に固定されているので、高い強度を備えて取り付けられている。
【０００８】
また、戸当たり部材が固定されている室内延出部は、金属骨材の金属室内壁部から室内側に延出されており、戸体の室内側の近傍においては面内方向に沿う面積が金属室内壁部より小さいので、室外側の温度が室内側に伝わり難い。戸当たり部材は、金属室内壁部より室内側にて室内延出部に合成樹脂製の樹脂骨材の室内配置部を介して固定されているので、戸当たり部材には、金属骨材の温度が伝わり難い。このため、剛性及び強度が高い戸当たり部材を備えつつも断熱性に優れた子扉を提供することが可能である。
【０００９】
また、室内延出部は、金属室内壁部の見付け幅方向において戸当たり部材と反対側に位置しているので、室内延出部と戸当たり部材との間隔が、より広く空けられて、より断熱性を高めることが可能である。
【００１０】
かかる子扉であって、前記室内配置部は、中空部を有することが望ましい。
このような子扉によれば、室内配置部が中空部を有しているので、中実の部材より断熱性が高い。このため、戸当たり部材が、中空部を有する室内配置部を介して室内延出部に固定されているので、より断熱性に優れた子扉を提供することが可能である。
【００１１】
かかる子扉であって、前記樹脂骨材は、前記室内配置部と繋がって前記金属骨材の室外側に配置される樹脂室外壁部を有することが望ましい。
このような子扉によれば、樹脂骨材が金属骨材の室外側に配置される樹脂室外壁部を有しているので、室外側からの要因による金属骨材の温度変化を抑制することが可能である。また、樹脂室外壁部が樹脂骨材に設けられているので、部材点数を減らすことができ、組立工数やコストを抑えることが可能である。
【００１２】
また、上記子扉と、前記親扉と、を有することを特徴とする建具である。
このような建具によれば、剛性及び強度が高い戸当たりを備えつつも断熱性に優れた子扉を備えた建具を提供することが可能である。
【図面の簡単な説明】
【００１３】
【図１】本実施形態に係る建具の横断面図である。
【図２】図１におけるＡ部の拡大図である。
【発明を実施するための形態】
【００１４】
以下、本発明の一実施形態に係る子扉及び子扉を備えた建具について図面を参照して説明する。
【００１５】
建具１は、図１に示すように、例えば、親扉２と子扉３とでなる親子扉タイプの玄関用の建具１である。親扉２及び子扉３は、枠組みされた枠体４において左右に配置される縦枠４ａに、ヒンジ（不図示）を介して回動自在に設けられている。親扉２及び子扉３は、各々回動しつつ室外側に移動することにより開かれるように構成されている。図１においては親扉２が左側に、子扉３が右側に位置している。
【００１６】
子扉３は、上下に各々位置する横框（不図示）と、ヒンジ側に位置して上下方向に沿って配置される戸尻框３１と、親扉２側に位置して上下方向に沿って配置される戸先框３２と、が矩形状に接合された框体３３と、框体３３により囲まれた領域内に設けられる、例えばペーパーハニカムのような断熱材３４と、框体３３を室内側及び室外側からそれぞれ覆い鋼板でなる外面材３５と、を有する戸体３３、及び、戸体３３に取り付けられて親扉２の戸当たりをなす戸当たり部材３６を有している。
【００１７】
子扉３の戸先框３２は、戸体３０の室外側に設けられ、戸体３０の面内方向に沿い見込み方向に間隔を開けて配置される金属室内壁部３９ａと金属室外壁部３９ｂとを備えた金属製の金属骨材３７と、戸体３０を構成し金属室内壁部３９ａの室内側に配置される室内配置部３８ａを有する合成樹脂製の樹脂骨材３８と、を有している。
【００１８】
金属骨材３７は、錠受け６、ラッチ受け７などの機能部品が収容される本体部材３９と、本体部材３９の親扉２側に固定されるエッジ材４０とを有している。本体部材３９及びエッジ材４０は、上下方向を押し出し方向とするアルミニウム製の押出成形部材である。
【００１９】
本体部材３９は、見込み方向に対向する金属室内壁部３９ａ及び金属室外壁部３９ｂと、金属室外壁部３９ｂと金属室内壁部３９ａとの戸尻側の縁を見込み方向に繋ぐ金属見込壁部３９ｃと、金属室内壁部３９ａと金属室外壁部３９ｂとの親扉２側の縁から互いに対向する側に延出されてエッジ材４０がビス止めされるエッジ材固定部３９ｄと、金属室内壁部３９ａの親扉２側の縁から室内側に延出された部位及び室外側のエッジ材固定部３９ｄの端部に設けられエッジ材４０が係合されるエッジ材係合部３９ｅと、金属室内壁部３９ａから室内側に延出され金属室内壁部３９ａの戸尻側に偏らせて配置された板状をなす室内延出部３９ｆと、を有している。
【００２０】
本体部材３９の親扉２側に位置する２つのエッジ材固定部３９ｄは、見込み方向に間隔が空けられており、金属室内壁部３９ａ及び金属室外壁部３９ｂ、２つのエッジ材固定部３９ｄ、及び、金属見込壁部３９ｃにより形成される空間内に、前述した機能部品が収容される。金属室外壁部３９ｂの戸尻側の部位は、戸尻側に向かって金属室内壁部３９ａとの間隔が狭くなるような傾斜部３９ｇが設けられている。
【００２１】
エッジ材４０は、本体部材３９の金属室外壁部３９ｂより室外側から金属室内壁部３９ａより室内側に見込み方向に延びるエッジ壁部４０ａと、エッジ壁部４０ａの室外側の縁から戸尻側に延出されて室外側の外面材３５に室外側から当接される室外エッジ部４０ｂと、エッジ壁部４０ａの室内側の端に設けられ親扉２側に延びるタイト材９が嵌合されるタイト材嵌合部４０ｃと、エッジ壁部４０ａから戸尻側に突出され本体部材３９のエッジ材係合部３９ｅと係合する２つの係合片４０ｄと、を有している。
【００２２】
樹脂骨材３８は、上下方向を押し出し方向とする合成樹脂製の押出成形部材である。樹脂骨材３８は、本体部材３９が有する金属室内壁部３９ａの室内側に配置され、上下方向に貫通する中空部３８ｂを有する室内配置部３８ａと、室内配置部３８ａの戸尻側に当該室内配置部３８ａと間隔を空けて設けられ室外側に延出されている樹脂見込壁部３８ｃと、樹脂見込壁部３８ｃの室外側の縁から親扉２側に延出された樹脂室外壁部３８ｄと、を有している。
【００２３】
室内配置部３８ａと樹脂見込壁部３８ｃとは室内側の縁が繋がっており、室内配置部３８ａと樹脂見込壁部３８ｃの室内側の部位との間には、室外側に向かって開放され室内側に窪む室内凹部３８ｅが設けられている。また、室内配置部３８ａを構成し親扉２側に位置する戸先壁部３８ｆからは親扉２側に向かって突出されてエッジ材４０と戸当たり部材３６との間を仕切る仕切り片３８ｇが設けられている。仕切り片３８ｇは、親扉２側に突出した親扉側突出部３８ｈと、親扉側突出部３８ｈの先端が室内側に延出した仕切り延出部３８ｉとが戸先壁部３８ｆとともに、室外側に窪む室外凹部３８ｊを形成している。
【００２４】
戸当たり部材３６は、上下方向を押し出し方向とするアルミニウム製の押出成形部材である。戸当たり部材３６は、室内配置部３８ａの親扉２側に位置し樹脂骨材３８の戸先壁部３８ｆと室内側の外面材３５を介して対向する戸当たり固定部３６ａと、戸当たり固定部３６ａの室内側の縁から戸尻側に延出され室内配置部３８ａと外面材３５を介して対向する室内当接部３６ｂと、室内当接部３６ｂの戸尻側の縁から室内側に延出された戸当たり延出部３６ｃと、戸当たり延出部３６ｃの室内側の縁から、親扉２と見込み方向において対向する位置まで延出された親扉対向壁部３６ｄと、を有している。
【００２５】
戸当たり固定部３６ａの室外側の端部は、樹脂骨材３８の仕切り片３８ｇと戸先壁部３８ｆとにより形成されている室外凹部３８ｊに挿入されている。また、本体部材３９のエッジ材係合部３９ｅに係合片４０ｄが係合されてエッジ材４０が本体部材３９に取り付けられた状態で、エッジ材４０の室内側の端部は、仕切り延出部３８ｉの室内側の端部より室外側に位置している。このため、戸当たり部材３６とエッジ材４０とは樹脂骨材３８の仕切り片３８ｇにより仕切られている。親扉対向壁部３６ｄは、室外側に位置する親扉２と見込み方向において対向する位置に、親扉２の室外側面に当接されるタイト材９が嵌合されるタイト材嵌合部３６ｅを有している。
【００２６】
戸当たり部材３６の戸当たり固定部３６ａと本体部材３９の室内延出部３９ｆとは、それらの間に室内配置部３８ａの室内側の部位と室内側から折り曲げられた外面材３５とを介して配置され、見付け幅方向、すなわち、左右方向において親扉２側から進入するビス１０が、戸当たり固定部３６ａ、外面材３５、室内配置部３８ａを貫通して室内延出部３９ｆに螺合されることにより戸当たり部材３６が戸体３０に固定されている。
【００２７】
本実施形態の子扉３によれば、戸体３０の室内側に取り付けられている戸当たり部材３６は、金属製なので高い剛性を備えており、戸当たり部材３６は金属製の金属骨材３７に固定されているので、高い強度を備えて取り付けられている。
【００２８】
また、戸当たり部材３６が固定されている板状の室内延出部３９ｆは、金属骨材３７の金属室内壁部３９ａから室内側に延出されており、戸体３０の室内側の近傍においては面内方向に沿う面積が金属室内壁部３９ａより小さいので、室外側の温度が室内側に伝わり難い。戸当たり部材３６は、金属室内壁部３９ａより室内側にて室内延出部３９ｆに合成樹脂製の樹脂骨材３８の室内配置部３８ａを介して固定されているので、戸当たり部材３６には、金属骨材３７の温度が伝わり難い。このため、高い剛性を有し、高い強度を備えた戸当たり部材３６を備えつつも断熱性に優れた子扉３を提供することが可能である。
【００２９】
また、室内配置部３８ａは中空部３８ｂを有しているので、中実の部材より断熱性が高い。このため、戸当たり部材３６が、中空部３８ｂを有する室内配置部３８ａを介して室内延出部３９ｆに固定されているので、より断熱性に優れた子扉３を提供することが可能である。
【００３０】
また、室内延出部３９ｆは、金属室内壁部３９ａの見付け幅方向において戸当たり部材３６と反対側に位置しているので、室内延出部３９ｆと戸当たり部材３６との間隔が、より広く空けられて、より断熱性を高めることが可能である。
【００３１】
また、樹脂骨材３８が金属骨材３７の室外側に配置される樹脂室外壁部３８ｄを有しているので、室外側からの要因による金属骨材３７の温度変化を抑制することが可能である。また、樹脂室外壁部３８ｄが樹脂骨材３８に設けられているので、部材点数を減らすことができ、組立工数とコストを抑えることが可能である。
【００３２】
また、高い剛性を有し、高い強度を備えて設けられた戸当たり部材３６を備えつつも断熱性に優れた子扉３を有する建具１を提供することが可能である。
【００３３】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００３４】
１  建具、２  親扉、３  子扉、４  枠体、３０  戸体、３６  戸当たり部材、
３７  金属骨材、３８  樹脂骨材、３８ａ  室内配置部、３８ｂ  中空部、
３８ｄ  樹脂室外壁部、３９ａ  金属室内壁部、３９ｆ  室内延出部
【図１】
0006682323.tif 000002
【図２】
0006682323.tif 000003